(57)【要約】【課題】不正開錠が困難なピンタンブラー錠を提供する。【解決手段】固定ハウジング２内に鍵挿通孔Ｈを有する内筒３が回転可能に収容され、駆動ピン５と従動ピン６を備えるピンタンブラー錠１において、鍵挿通孔Ｈ内に鍵Ｋの挿入により開錠位置まで移動可能なピンカバー８を備え、従動ピンは、ピンカバーの移動を許容する移動許容部６３および移動を妨げる移動禁止部６２を有する規制ピン６ａと、通常ピン６ｂとで構成され、ピンカバーは通常ピンを鍵挿通孔に対し遮蔽する壁部８１を備え、壁部はピンカバーが開錠位置まで移動したとき通常ピンが進入する通常孔８４と、ピンカバーが開錠位置まで移動する前に規制ピンの移動禁止部が進入可能な規制孔８３とを有し、規制ピンの移動許容部は、規制ピンがシアラインＳＬに整列したとき規制孔の開孔縁８７に対向する位置に設けた。【選択図】図１
2008174918.tif 000002
【特許請求の範囲】
【請求項１】
固定ハウジング内に鍵挿通孔を有する内筒が回転可能に収容され、
前記固定ハウジングおよび前記内筒にまたがり前記内筒の回転軸と直交する方向に配設され、前記回転軸に向けバネ付勢された駆動ピンおよび従動ピンを複数備え、
前記鍵挿通孔は、前記内筒の前記回転軸に沿って延在し前記従動ピンの先端部が露出可能であり、
鍵の挿入により前記駆動ピンと前記従動ピンとの境界がシアラインに整列して開錠されるピンタンブラー錠において、
前記鍵挿通孔内に、挿入された前記鍵に押されて開錠位置まで移動可能で前記鍵の挿入方向と反対方向にバネ付勢されたピンカバーを備え、
前記複数の従動ピンは、
前記ピンカバーの前記開錠位置までの移動を許容する移動許容部および前記ピンカバーの移動を妨げる移動禁止部を有する規制ピンと、前記規制ピン以外の通常ピンとで構成され、
前記ピンカバーは、施錠状態のとき、少なくとも前記通常ピンの先端部を鍵挿通孔に対し遮蔽可能で前記回転軸と平行な方向に延在する壁部を備え、
前記壁部には、前記規制ピンが進入可能な規制孔および前記通常ピンが進入可能な通常孔が設けられ、
前記通常孔は、前記ピンカバーが前記開錠位置まで移動したとき前記通常ピンが進入可能に配置され、
前記規制孔は、前記ピンカバーが前記開錠位置まで移動する前に前記規制ピンの前記移動禁止部が進入可能に配置され、
前記規制ピンの前記移動許容部は、前記規制ピンが前記シアラインに整列したとき前記規制孔の開孔縁に対向する位置に設けられていることを特徴とするピンタンブラー錠。
【請求項２】
前記ピンカバーの前記規制孔は、施錠状態のとき前記壁部が前記規制ピンの先端部を前記鍵挿通孔に対し遮蔽可能な位置に配置されている請求項１に記載のピンタンブラー錠。
【請求項３】
前記ピンカバーの前記規制孔は、前記規制ピンの前記移動禁止部が進入可能な第１孔部と、前記第１孔部に前記鍵の挿入方向の上流側に連接して設けられる第２孔部とからなり、
前記第２孔部には前記移動許可部が進入可能であるが前記移動禁止部は進入不能である請求項１または請求項２に記載のピンタンブラー錠。
【請求項４】
前記規制ピンの前記移動許容部は、前記規制ピンの前記先端部から離間した部分が前記回転軸に平行な方向に縮径した縮径部であり、前記縮径部に前記規制孔の前記開孔縁が進入可能である請求項１から請求項３のいずれか１項に記載のピンタンブラー錠。 
【請求項５】
前記規制ピンは円柱状の部材であり、前記移動許容部は前記規制ピンの前記先端部から離間した位置で段差となる小円柱部で構成され、前記小円柱部に前記規制孔の前記開孔縁が進入可能な請求項１から請求項４のいずれか１項に記載のピンタンブラー錠。
【発明の詳細な説明】
【技術分野】
【０００１】
この発明は、ピンタンブラー錠に関し、特に不正開錠 (ピッキング)対策の施されたピンタンブラー錠に関する。
【背景技術】
【０００２】
ピンタンブラー錠の不正開錠は、鍵穴に道具を差し込んで、鍵挿通孔に露出しているピンを不正に操作して行なわれる。このため、ピンタンブラー錠の不正開錠対策の一つとして、鍵穴を遮蔽する技術が知られている。
【０００３】
例えば、特許文献１には、鍵穴を遮蔽することができるように錠ボデーの側壁にスライドロック板を設け、このスライドロック板の内壁面にはタンブラー溝を形成し、一方、スライドロック板の外壁面には合鍵の係合部と係合する被係合部を形成し、錠ボデーにはバネ部材で常に一方向へ付勢され、かつ、タンブラー溝と係合する磁石ピンタンブラーを組み込み、磁石ピンタンブラーは合鍵に設けた磁性体の極性に対応してスライドロック板のロックを解除する方向へ移動することを特徴とする南京錠が開示されている。
【特許文献１】特開平７−２０７９９７号公報（請求項１、図５）
【発明の開示】
【発明が解決しようとする課題】
【０００４】
特許文献１では、鍵穴がスライドロック板で遮蔽されるので、二重に鍵をかけたことになり、不正開錠を抑止することができる。しかし、鍵穴をスライドロック板等の別の部材で遮蔽する構造の場合、開錠するとき、先ず鍵穴を露出させる操作が必要になり、二度手間になる。
錠内部に、従動ピンを遮蔽する手段を有し、１回の操作で開錠できるピンタンブラー錠を提供することができれば、二度手間にならず、また不正開錠を困難にすることが可能となり、その有用性は明白である。
【０００５】
上記の課題を解決するため、本発明は、鍵挿通孔に露出するピンが遮蔽され、不正開錠が困難なピンタンブラー錠を提供することを目的とする。
【課題を解決するための手段】
【０００６】
本発明は、固定ハウジング内に鍵挿通孔を有する内筒が回転可能に収容され、固定ハウジングおよび内筒にまたがり内筒の回転軸と直交する方向に配列された駆動ピンおよび従動ピンを複数備え、鍵挿通孔は、内筒の回転軸に沿って延在し従動ピンの先端部が露出可能であり、鍵の挿入により駆動ピンと従動ピンとの境界がシアラインに整列して開錠されるピンタンブラー錠を前提とする。
【０００７】
この前提における本発明の特徴は、鍵挿通孔内に、挿入された鍵に押されて開錠位置まで移動可能で鍵の挿入方向と反対方向にバネ付勢されたピンカバーを備え、複数の従動ピンは、ピンカバーの開錠位置までの移動を許容する移動許容部およびピンカバーの移動を妨げる移動禁止部を有する規制ピンと、規制ピン以外の通常ピンとで構成され、ピンカバーは、施錠状態のとき、少なくとも通常ピンの先端部を鍵挿通孔に対し遮蔽可能で回転軸と平行な方向に延在する壁部を備え、壁部には、規制ピンが進入可能な規制孔および通常ピンが進入可能な通常孔が設けられ、通常孔は、ピンカバーが開錠位置まで移動したとき通常ピンが進入可能に配置され、規制孔は、ピンカバーが開錠位置まで移動する前に規制ピンの移動禁止部が進入可能に配置され、規制ピンの移動許容部は、規制ピンがシアラインに整列したとき規制孔の開孔縁に対向する位置に設けられていることにある。
なお、「規制ピンがシアラインに整列」とは、規制ピンと、この規制ピンに対応する駆動ピンとの境界が、固定ハウジングと内筒との境界に位置するシアラインに一致することをいう。
【０００８】
本発明の１つの実施態様では、ピンカバーの規制孔は、施錠状態のとき壁部が規制ピンの先端部を鍵挿通孔に対し遮蔽可能な位置に配置されている。
【０００９】
また、別の実施態様では、ピンカバーの規制孔は、規制ピンの移動禁止部が進入可能な第１孔部と、第１孔部に鍵の挿入方向の上流側に連接して設けられる第２孔部とからなり、第２孔部には移動許容部が進入可能であるが移動禁止部は進入不能である。
【００１０】
さらに別の実施態様では、規制ピンの移動許容部は、規制ピンの先端部から離間した部分が回転軸に平行な方向に縮径した縮径部であり、縮径部に規制孔の開孔縁が進入可能である。
【００１１】
また別の実施態様では、規制ピンは円柱状の部材であり、移動許容部は規制ピンの先端部から離間した位置で段差となる小円柱部で構成され、小円柱部に規制孔の開孔縁が進入可能である。
【発明の効果】
【００１２】
本発明のピンタンブラー錠は前記のように、鍵挿通孔内に備えられて開錠位置まで移動するピンカバーと、このピンカバーの移動を規制する規制ピン、および通常ピンを有し、ピンカバーは施錠状態のとき少なくとも通常ピンを遮蔽している。さらに、ピンカバーに規制ピンが進入可能な規制孔、および通常ピンが進入可能な通常孔を設けたことにより、鍵挿通孔に正規の鍵を挿入すると、ピンカバーは鍵に押されて移動し、規制ピンの先端部が鍵挿通孔に露出する。そして、露出した規制ピンの先端部に正規の鍵の鍵溝が当接して、規制ピンはシアラインに整列する方向へ移動する。
【００１３】
規制ピンがシアラインに整列すると、規制ピンの移動許容部がピンカバーに設けられた規制孔の開孔縁に対向する位置となり、ピンカバーが開錠位置まで移動する。この結果、通常ピンがピンカバーの通常孔に進入し、正規の鍵の鍵溝に当接することにより、通常ピンもシアラインに整列して開錠される。
【００１４】
以上のように、本発明のピンタンブラー錠を開錠するとき、鍵穴を露出させる操作は不要で、正規の鍵を鍵穴に挿入する１回の操作で開錠することができる。また、開錠するとき、規制ピンを正確にシアラインに整列させ、さらにピンカバーを正確に開錠位置まで移動させなければならないので、正規の鍵を用いずに不正開錠することが困難になる。
施錠時に、通常ピンだけでなく規制ピンもピンカバーで遮蔽されるように規制孔を配設すれば、不正開錠はさらに困難になる。
【００１５】
ピンカバーの規制孔を、規制ピンの移動禁止部が進入可能な第１孔部と、第１孔部に鍵の挿入方向の上流側に連接して設けられる第２孔部とで形成し、第２孔部には移動許容部が進入可能であるが移動禁止部は進入不能な構成にすれば、鍵を挿入したときピンカバーの第１孔部に移動禁止部が進入してピンカバーの移動が禁止される結果、通常ピンが遮蔽された状態が維持されるので、不正開錠が困難になる。
【００１６】
規制ピンの移動許容部を、規制ピンの先端部から離間した部分が縮径した縮径部で構成すれば、移動許容部を容易に形成することができる。また、このような縮径部を、ダミーも含めて複数設けることにより不正開錠を困難にすることができる。
【００１７】
規制ピンを円柱状の部材とし、移動許容部を規制ピンの先端部から離間した位置で段差となる小円柱部とすれば、移動許容部が段差なので、規制ピンの位置を厳密に合わせなければピンカバーの規制孔の開孔縁を段差に進入させられないため、不正開錠がより困難になる。
【発明を実施するための最良の形態】
【００１８】
添付の図面を参照して、本発明に係るピンタンブラー錠１について説明する。
図１は回転軸Ｍと従動ピン６を含む面の端面図であり、図２は、図１のＩＩ−ＩＩ線での端面図である。
【００１９】
図１、図２に示すように、ピンタンブラー錠１は、固定ハウジング２内に内筒３が回転可能に収容され、内筒３の回転軸Ｍに沿って延在する鍵挿通孔Ｈを備える。また、鍵挿通孔Ｈから回転軸Ｍと直交する方向に延出し、固定ハウジング２および内筒３にまたがる複数のピン収容穴４に、駆動ピン５および従動ピン６が配列され、回転軸Ｍに向けて駆動バネ５１で付勢されて収容されている。
【００２０】
さらに、ピンタンブラー錠１の鍵挿通孔Ｈ内には、鍵Ｋの挿入方向Ｘ（以下挿入方向Ｘ）と反対方向にバネ７でバネ付勢されたピンカバー８が設けられている。なお、挿入方向Ｘは回転軸Ｍに平行である。
【００２１】
ピンタンブラー錠１は、駆動ピン５と従動ピン６の境界が、固定ハウジング２と内筒３の境界に位置するシアラインＳＬに一致して開錠される。
従動ピン６は内筒３側に複数配置され、その先端部６１は鍵挿通孔Ｈに露出可能である。また、複数の従動ピン６は、ピンカバー８の移動を妨げる移動禁止部６２およびピンカバー８の移動を許容する移動許容部６３を有する規制ピン６ａと、規制ピン６ａ以外の通常ピン６ｂとで構成されている。
【００２２】
規制ピン６ａ、通常ピン６ｂはそれぞれの長さが異なる円柱状部材である。
規制ピン６ａの移動許容部６３は、規制ピン６ａの先端部６１から離間した部分が回転軸Ｍと平行な方向に縮径し、段差となった小円柱部６４で構成されている。規制ピン６ａの移動禁止部６２は、駆動ピン５に当接する面と小円柱部６４の間の、径が小円柱部６４より大きい円柱部分である。
【００２３】
ピンカバー８は、鍵Ｋを挿入可能な開放部８８を有する中空のほぼ直方体形状であり、回転軸Ｍ方向に延在する鍵挿通孔Ｈの内壁に当接しながら、挿入方向Ｘに沿って摺動可能である。ピンカバー８は、挿入方向Ｘにほぼ直交する面である鍵当接部８２と、鍵当接部８２に連設されて回転軸Ｍに平行な壁部８１を備える。壁部８１は従動ピン６に当接可能に対向する面であり、ピンタンブラー錠１が施錠されているときに少なくとも通常ピン６ｂの先端部６１を鍵挿通孔Ｈに対し遮蔽可能である。
【００２４】
ピンカバー８は、鍵挿通孔Ｈに正規の鍵Ｋが挿入されたとき、鍵当接部８２に鍵Ｋが当接して挿入方向Ｘに押されて開錠位置Ｐ（図３（ｃ）参照）まで移動し、鍵Ｋが抜き取られると、バネ７により挿入方向Ｘと反対方向に押し返される。
ここで、開錠位置Ｐとは、ピンカバー８による従動ピン６の遮蔽が解除されてピンタンブラー錠１が開錠可能となる位置のことである。ピンカバー８自体は、挿入方向Ｘに沿って押されたとき、開錠位置Ｐを越えて移動することが可能である。
【００２５】
ピンカバー８の壁部８１には、規制ピン６ａが進入可能な規制孔８３、および通常ピン６ｂが進入可能な通常孔８４が設けられている。通常孔８４は、ピンカバー８が開錠位置Ｐまで移動したとき通常ピン６ｂが進入可能な位置に配置され、規制孔８３は、ピンカバー８が開錠位置Ｐまで移動する前に規制ピン６ａの移動禁止部６２が進入可能な位置に配置されている。
【００２６】
より詳しくは、通常孔８４は、ピンカバー８が開錠位置Ｐにあるときに壁部８１が各通常ピン６ｂに対向する部位に配置される。これに対し、規制孔８３は、ピンカバー８が開錠位置Ｐにあるときに壁部８１が規制ピン６ａに対向する部位よりも、挿入方向Ｘの下流側、別言すれば鍵当接部８２寄りに配置されている。
また、規制ピン６ａの小円柱部６４は、規制ピン６ａがシアラインＳＬに整列したとき、規制孔８３の開孔縁８７に回転軸Ｍと平行な線上で対向する部位に、開孔縁８７が進入可能な大きさで設けられている。
【００２７】
さらに、規制孔８３は規制ピン６ａの移動禁止部６２が進入可能な大きさの第１孔部８５と、第１孔部８５に挿入方向Ｘの上流側に連接して設けられる第２孔部８６とからなる(図２参照)。第２孔部８６は、第１孔部８５、規制ピン６ａの移動禁止部６２より小さく、規制ピン６ａの小円柱部６４より僅かに大きい。このため、第２孔部８６には、規制ピン６ａの移動禁止部６２は進入不能であるが、移動許容部６３である小円柱部６４は進入可能である。
【００２８】
また、図１に示すように、ピンタンブラー錠1の鍵Ｋには、規制ピン６ａに当接する長溝の鍵溝Ｋ１と、通常ピン６ｂに当接する鍵溝Ｋ２が形成されている。また、鍵Ｋの先端部分は、厚み方向、幅方向とも先細りとなるよう傾斜がつけられている。
【００２９】
このようなピンカバー８を有するピンタンブラー錠1が施錠されているとき、図１、図２に示すように、ピンカバー８の壁部８１が規制ピン６ａ、および通常ピン６ｂの先端部６１に当接しており、従動ピン６は鍵挿通孔Ｈに対し遮蔽されている。従って、外部から鍵挿通孔Ｈの中を覗いても、従動ピン６がどこにあるのか分からず、不正開錠を困難にする。
【００３０】
次に、図３〜図５を参照してピンカバー８を有するピンタンブラー錠１が開錠される過程を説明する。図３〜図５は、図１、図２に相当する端面で、従動ピン６の周囲を拡大して表わす摸式図であり、図３はピンタンブラー錠１が施錠された状態、図４は正規の鍵Ｋに押されてピンカバー８が移動中の状態、図５はピンタンブラー錠１が開錠された状態を表わす。なお、図３（ａ）〜図５（ａ）は図１、図３（ｂ）〜図５（ｂ）は図２に相当する端面を表わす。
【００３１】
図３（ａ），（ｂ）に示すように、ピンタンブラー錠１が施錠されているとき、従動ピン６を構成する規制ピン６ａおよび通常ピン６ｂは、先端部６１がピンカバー８の壁部８１に当接して鍵挿通孔Ｈに対し遮蔽されている。また、規制ピン６ａおよび通常ピン６ｂはシアラインＳＬを横切っており、これにより内筒３の固定ハウジング２に対する回転が禁止されている。
【００３２】
図４（ａ），（ｂ）に示すように、ピンタンブラー錠１を開錠するため鍵挿通孔Ｈに正規の鍵Ｋが挿入されると、ピンカバー８は鍵当接部８２が鍵Ｋに押されて挿入方向Ｘに沿って移動を開始する。この移動中に、駆動バネ５１で付勢されている規制ピン６ａが、ピンカバー８の規制孔８３の第１孔部８５に進入し、鍵Ｋの長溝の鍵溝Ｋ１に当接してシアラインＳＬに整列した位置となる。
【００３３】
これにより、規制孔８３の開孔縁８７が規制ピン６ａの小円柱部６４（移動許容部６３）に対向する位置となる。すなわち、規制孔８３の開孔縁８７が規制ピン６ａの小円柱部６４（移動許容部６３）に進入可能な位置となる。このとき、通常ピン６ｂは未だピンカバー８の壁部８１により遮蔽されたままの状態にある。
なお、鍵Ｋの鍵溝Ｋ１は長溝で規制ピン６ａに摺接可能なので、鍵Ｋをさらに奥に挿入することが可能である。
【００３４】
図５（ａ），（ｂ）に示すように、鍵Ｋが奥まで挿入されたとき、規制孔８３の第２孔部８６の部分の開孔縁８７が、規制ピン６ａの小円柱部６４に進入する。これにより、ピンカバー８が仮想線で示す開錠位置Ｐに達して、通常ピン６ｂがピンカバー８の通常孔８４に進入し、鍵Ｋの鍵溝Ｋ２に当接する。この結果、通常ピン６ｂもシアラインＳＬに整列して、内筒３が固定ハウジング２で回転可能となり、ピンタンブラー錠１は開錠される。
【００３５】
図５（ａ），（ｂ）の状態から鍵Ｋを引き抜くと、規制ピン６ａ、通常ピン６ｂは鍵Ｋにより規制孔８３、通常孔８４から退出する方向に押され、さらにピンカバー８がバネ７に付勢されて挿入方向Ｘと反対方向に移動して規制ピン６ａおよび通常ピン６ｂを鍵挿通孔Ｈから退出させて遮蔽し、図３（ａ），（ｂ）の施錠された状態に戻る。
以上のように、本発明のピンタンブラー錠１は、正規の鍵Ｋを挿入する操作だけで、ピンカバー８を開錠位置Ｐに位置させて開錠することができる。
【００３６】
次に、図６を参照して、正規の鍵Ｋを用いずに不正開錠しようとした場合の状態を説明する。図６は、図示しないピッキングツールを用いて不正開錠しようとしたときの状態を表わす模式図である。
【００３７】
ピンタンブラー錠１を開錠するためには、ピンカバー８を仮想線で示す開錠位置Ｐまで移動させる必要がある。しかし、正規の鍵Ｋを用いずにピンカバー８を移動させると、規制ピン６ａはバネ付勢されており、またその移動を制限する物は無いため、規制ピン６ａの移動禁止部６２が、規制孔８３の第１孔部８５に進入する。このため、ピンカバー８は開錠位置Ｐまでの移動が禁止され、開錠不能な状態になることにより、不正開錠が困難になる。
【００３８】
また、規制孔８３の開孔縁８７を規制ピン６ａの小円柱部６４に進入させることができた場合でも、ピンカバー８が開錠位置Ｐを越えて移動すると、通常ピン６ｂの先端部の一部しか通常孔８４に進入しないため、不正開錠することはできない。さらに、ピンカバー８を開錠位置Ｐまで正確に移動できたとしても、通常ピン６ｂは通常孔８４から突出するのみで、シアラインＳＬには整列しないため、開錠することはできない。
【００３９】
このように、本発明のピンタンブラー錠１を開錠するときは、規制ピン６ａを正確にシアラインＳＬに整列させ、さらにピンカバー８を正確に開錠位置Ｐまで移動させなければならないので、正規の鍵Ｋを用いずに不正開錠することは困難である。
【００４０】
以上、実施形態に基づき説明したが、本発明はこれに限定されず、種々変更して実施することができる。
例えば図１、図２では、従動ピン６は鍵挿通孔Ｈの一番奥側に位置する1本の規制ピン６ａと、３本の通常ピン６ｂで構成する場合を例示しているが、これに限定されず、規制ピン６ａを複数本設けることもできるし、規制ピン６ａが通常ピン６ｂの間に位置するように配設することもできる。あるいは、施錠時に規制ピンが規制孔８３に進入した状態とすることもできる。
【００４１】
また、規制ピン６ａの移動許容部６３が、回転軸Ｍと平行な方向に縮径し段差となった小円柱部６４で構成されているものとして説明したが、このような段差を、ダミーを含めて複数設けて不正開錠をより困難にすることもできる。また、移動許容部６３を、段差となる形状ではなく、回転軸Ｍと平行な方向になだらかに縮径する形状にすることもできる。あるいは、移動許容部６３を円柱形状にかえて、四角柱、六角柱等の角柱状にすることもできる。
【図面の簡単な説明】
【００４２】
【図１】ピンタンブラー錠の回転軸と従動ピンを含む面の端面図。
【図２】図１のＩＩ−ＩＩ線での端面図。
【図３】ピンタンブラー錠が施錠された状態を表わす摸式図であり、図３（ａ）は図１に相当する端面図、図３（ｂ）は図２に相当する端面図。
【図４】ピンカバーが移動中の状態を表わす摸式図であり、図４（ａ）は図１に相当する端面図、図４（ｂ）は図２に相当する端面図。
【図５】ピンカバーが移動中の状態を表わす摸式図であり、図５（ａ）は図１に相当する端面図、図５（ｂ）は図２に相当する端面図。
【図６】不正開錠時の状態を表わす模式図。
【符号の説明】
【００４３】
１      ピンタンブラー錠
２      固定ハウジング
３      内筒
５      駆動ピン
６      従動ピン
６ａ    規制ピン
６ｂ    通常ピン
８      ピンカバー
６１    先端部
６２    移動禁止部
６３    移動許容部
６４    小円柱部
８１    壁部
８３    規制孔
８４    通常孔
８５    第１孔部
８６    第２孔部
８７    開孔縁
Ｈ      鍵挿通孔
Ｋ      鍵
Ｍ      回転軸
Ｐ      開錠位置
ＳＬ    シアライン
Ｘ      挿入方向
【図１】
2008174918.tif 000003
【図２】
2008174918.tif 000004
【図３】
2008174918.tif 000005
【図４】
2008174918.tif 000006
【図５】
2008174918.tif 000007
【図６】
2008174918.tif 000008